(57)【要約】  本発明は、試験試料（５０８）の電気的性質を試験するプローブ（５０２）に関する。プローブは、近位端と反対の遠位端を画成するプローブアーム（５０６）を有する本体（５０４）を備え、プローブアームは、プローブアームの近位端において本体から延在し、更に、第１軸心が、近位端と遠位端によって画定される。その上、プローブアームは、第１軸心に沿った、第１軸心に垂直な第２軸心に沿った、更に、第１軸心と第２軸心によって画定される平面に直角な第３軸心に沿ったプローブアームの柔軟な運動を許容する幾何学的構造を画成する。
2009513986.tif 000002
【特許請求の範囲】
【請求項１】
試験試料の電気的性質を試験するプローブにおいて、
近位端及び反対の遠位端を画成するプローブアームを有する本体を備え、プローブアームが、プローブアームの近位端において本体から延在すると共に、第１軸心が、近位端と遠位端によって画定され、又、プローブアームが、第１軸心、第１軸心に垂直な第２軸心並びに第１軸心と第２軸心によって画定される平面に直角な第３軸心に沿ってプローブアームの柔軟な運動を許容する幾何学的構造を画成するプローブ。
【請求項２】
プローブアームが、試験試料と電気的接触を図る接触プローブと、試験装置と電気的接触を図るパッドと、本体上又は本体内に配置されて、接触プローブとパッドの間の電気的接触を図る導電ストリップとを支持する支持構造物である請求項１に記載のプローブ。
【請求項３】
上記幾何学的構造が、半円形部品及び／又は正方形部品及び／又は長方形部品及び／又は三角形部品及び／又は上記のいずれかの組合せを含む請求項１又は２に記載のプローブ。
【請求項４】
上記幾何学的構造が、角度を形成するように接続された２個の大略直線状の部品を含む請求項１又は２に記載のプローブ。
【請求項５】
上記角度が９０度である請求項４に記載のプローブ。
【請求項６】
プローブアームが、第１軸心、第２軸心と第３軸心の方向に大略等しいばね定数を画定する請求項１乃至５のいずれかに記載のプローブ。
【請求項７】
本体が、複数のプローブアームを含む請求項１乃至６のいずれかに記載のプローブ。
【請求項８】
複数のプローブアームが、類似の幾何学的構造を画成する請求項７に記載のプローブ。
【請求項９】
複数のプローブアームが、少なくとも２個の異なる幾何学的構造を画成する請求項７に記載のプローブ。
【請求項１０】
意図した位置にあるプローブが、試験試料の表面の平面に突出する時に、大略等しいばね定数又は１：１と１：２０の間の比を有するばね定数を画定する請求項１乃至９のいずれかに記載のプローブ。
【請求項１１】
複数のプローブアームの各々が、Ｌ字状幾何学的構造を画成する請求項１乃至１０のいずれかに記載のプローブ。
【請求項１２】
試験試料の電気的性質を試験するプローブにおいて、
第１平坦表面を画成する本体と、近位端及び反対の遠位端を有する第１部分を画成するプローブアームとを備え、プローブアームが、第１部分の近位端において本体から延在すると共に、第１軸心が、第１部分の近位端と遠位端によって画定され、又、プローブアームが、第１平坦表面と平行に延在し、更に、プローブアームが、第１軸心、第１軸心に垂直な第２軸心並びに第１軸心と第２軸心によって画定される平面に直角な第３軸心に沿ってプローブアームの柔軟な運動を許容する幾何学的構造を画成するプローブ。
【請求項１３】
プローブアームが、第１平坦表面と共通平面関係で配置される請求項１２に記載のプローブ。
【請求項１４】
本体が、第１平坦表面に大略直角の第２平坦表面を画成する一方、プローブアームが、第２平坦表面から延在する請求項１２に記載のプローブ。
【請求項１５】
プローブアームが、Ｌ字状幾何学的構造を画成する請求項１２乃至１４のいずれかに記載のプローブ。
【請求項１６】
試験試料の電気的性質を試験する試験プローブにおいて、
試験試料と電気的接触を図る導電接点を含む本体を備え、試験プローブが試験試料の表面と静的接触を図るのを許容するように、本体が、ばね手段によって柔軟に吊下げられている試験プローブ。
【請求項１７】
請求項１乃至１５の特徴のいずれかを含む請求項１６に記載の試験プローブ。
【発明の詳細な説明】
【技術分野】
【０００１】
本発明は、試験試料の電気的性質を試験するプローブに関する。
【背景技術】
【０００２】
試験試料の電気的性質を決定するために抵抗測定を行う時、試験表面と電気的接触を図る先端を各々が支承する１個以上のアームを備える試験プローブが試験表面に接触させられる。
【発明の開示】
【発明が解決しようとする課題】
【０００３】
本発明は、非貫通静的接点が片持ばり先端と試験試料表面の間に形成されることを可能にする片持ばり幾何学的構造を提供する。
更に、本発明は、片持ばり幾何学的構造によって画定される１個以上の片持ばりを有するマルチ型片持ばりを提供する。
その上、本発明は、機械的接点又は電気機械的接点の安定性と寿命を改良するために低摩擦静的接点が望ましいナノエレクトロメカニカルシステム（ＮＥＭＳ）とマイクロエレクトロメカニカルシステム（ＭＥＭＳ）を設計する方法論を提供する。
【０００４】
顕微鏡４点プローブは、導体薄膜及び半導体薄膜と多層構造物の電気特性決定のための度量衡器具として使用される。図１に示すように、表面と真直な片持ばりの先端の間の接触における機械的移動（滑りと振動）が、片持ばり先端の摩耗を生じる。この機械的摩耗を減らすと共に試料表面への先端の侵入を減らすために、軟質片持ばりが、表面への非貫通静的機械的接触をするように設計されてきた。
【０００５】
関連するシステムと方法は、ＵＳ２００４／０７２４５２、ＵＳ２００３／１０２８７８、ＷＯ２００５／０３１３７６、ＵＳ６，６７２，８７５、ＵＳ２００１／０１２７３９、ＵＳ４，３８３，２１７、ＥＰ１０８５３２７、ＵＳ２００４／１８３５５４、ＵＳ６，９４３，５７１、ＵＳ４，７０３，２５２、ＵＳ５，６９１，６４８、ＵＳ６，７４７，４４５、ＵＳ２００５／０１５１５５２、ＵＳ２００５／００８１６０９、ＵＳ２００５／００６２４４８等の公報に記載されている。上記の米国特許公報の全てを参照して、その全体が、本明細書に全ての目的のために組込まれている。
【課題を解決するための手段】
【０００６】
本発明の第１の態様は、少なくとも部分的に、試験実施中に試験試料の摩耗を減らすように形成された試験プローブに関する。試験プローブは、近位端及び反対の遠位端を画成するプローブアームを有する本体を備え、プローブアームが、プローブアームの近位端において本体から延在すると共に、第１軸心が、近位端と遠位端によって画定され、又、プローブアームが、第１軸心、第１軸心に垂直な第２軸心並びに第１軸心と第２軸心によって画定される平面に直角な第３軸心に沿ってプローブアームの柔軟な運動を許容する幾何学的構造を画成する。
【０００７】
プローブアームによって画成される幾何学的構造が、プローブアームに柔軟な運動を付与することにより、プローブが、試験試料と接触して、試験プローブが試験装置のホルダーに保持されている時、回りからの振動が、少なくともある程度までプローブアームに吸収されて、プローブアームと試験試料の間の運動に伝達されない。試験プローブと試験試料の間のこの静的接触は、摩擦力が、試験試料の表面平面に印加される絶対力より大きいことを確実にすることにより、達成される。
【０００８】
プローブアームは、本体から自由に延在する。プローブアームは、自由で柔軟な運動をする。
【０００９】
本体は、第１平坦表面を画成する。プローブアームは、本体から延在する。又、プローブアームが、本体の第１平坦表面に平行な平面を画定する。プローブアームが試験試料の表面と接触していない時、第１平坦表面とプローブアームによって画定される平面が平行である。プローブアームは、Ｌ字状幾何学的構造、又は静的接触が得られるようにプローブアームに柔軟性を与える他の幾何学的構造を画成してもよい。
【００１０】
一実施形態において、プローブアームは、本体に材料を付着させることにより形成してもよい。例えば、より大きな構造物で開始して、その上にプローブアームを付着により形成し、次に、この段階でプローブアームを支持する材料の一部が除去されることにより、プローブアームが本体から自由に延在する。次に、本体は、より大きな構造物の残りの部分である。
【００１１】
プローブが、試験試料に対して移動するよりもむしろ試験試料と静的接触状態で保持されている時、試験試料の寿命の大幅な増加が達成される。又、試験を行う条件が変更されず、試験試料の接触領域が大略同じままである場合に、行われた試験の品質が向上する。
【００１２】
プローブが、試験試料の表面部分と静的接触状態で保持されている時、摩擦力Ｆｆの一般近似は、静摩擦係数μｓと垂直力Ｎの積によって与えられる。
Ｆｆ＝μｓＮ
【００１３】
理想的には、横方向力ＦＬはゼロであるべきだが、これは実際上不可能である。よって、静的接触を得るために、摩擦力は、表面平面内に作用する横方向力よりも大きくなければならない。
Ｆｆ＞ＦＬ
【００１４】
片持ばり先端に作用する横方向力ＦＬは、小さな運動に対して垂直力に比例すると推測される。
【００１５】
本発明の好都合な実施形態において、プローブアームが、試験試料と電気的接触を図る接触プローブと、試験装置と電気的接触を図るパッドと、本体上又は本体内に配置されて、接触プローブとパッドの間の電気的接触を図る導電ストリップとを支持する支持構造物である。
【００１６】
上記構成は、試験試料に及び試験試料を透過して、夫々、伝送された電気信号を送受信するプローブに対して設けられる。電気信号は、ＡＣ、ＤＣ、ＲＦ、他のなんらかの電気信号、又はこれらの信号の組合せである。又、試験装置は、信号フィルター、ロックイン回路等を含む。
【００１７】
本発明のいくつかの実施形態において、上記幾何学的構造が、半円形部品及び／又は正方形部品及び／又は長方形部品及び／又は三角形部品及び／又は上記のいずれかの組合せを含む。異なる幾何学的構造又はその部分は、プローブアームが振動及び／又はドリフト等を受ける時に、プローブアームの柔軟な運動を許容するのを助ける。
【００１８】
特定の実施形態において、上記幾何学的構造が、角度を形成するように接続された２個の大略直線状の部品を含む。更に、プローブアーム自身が、本体からある角度で延在してもよい。角度は、５５度と１４５度の間、例えば、９０度等の０度と１８０度の間である。
【００１９】
上記の角度と幾何学的構造は、３次元のいずれか又は全てに適用される。
【００２０】
プローブアームが、第１軸心、第２軸心と第３軸心の方向に大略等しいばね定数を画定することが好都合である。プローブアームが、３次元において等しい又は大略等しいばね定数を有することが非常に好都合であることが判明した。
【００２１】
別の実施形態において、本体が、複数のプローブアームを含む。複数のプローブアームは、多点プローブ測定、例えば、４点プローブ測定を許容する。
【００２２】
本発明の更に別の実施形態において、複数のプローブアームが、類似の幾何学的構造又は代わりとして、少なくとも２個の異なる幾何学的構造を画成する。いくつかの適用において、プローブアームが、例えば、近接して配置された複数のプローブアームを有して、プローブ先端において線を画定する大略同一の又は類似の幾何学的構造を画成することが考えられる。
【００２３】
他の実施形態において、線を画定することなく多数のプローブ先端を近接して配置するため、複数のプローブアームを有するように、異なる幾何学的構造を画成するプローブアームを有するプローブを使用してもよい。他の適用も想定される。
【００２４】
本発明の更に他の実施形態において、使用時のプローブが、試験試料の表面の平面に突出する時に、大略等しいばね定数又は１：１と１：２０の間の比を有するばね定数を画定する。試験プローブが試験試料の表面に接触させられた時、角度が、試験プローブと試験試料表面の間に形成される。その角度は、０度と１８０度の間、通常、３０度付近である。プローブアームは、他の所に記載したばね定数を有する又は画定し、これらのばね定数が試験試料の表面によって画定される平面上に投影される時、投影されたばね定数は、好ましくは大略等しい。しかしながら、ばね定数は、１：２と１：１５の間、１：３と１：１０の間、１：４と１：６の間、１：１と１：２の間、１：２と１：３の間、１：３と１：４の間、１：４と１：５の間、１：５と１：８の間、１：８と１：１０の間、１：１０と１：１５、１：１５と１：２０の間等の１：１と１：２０の間の比を有してもよい。
【００２５】
本発明の第２の態様は、試験試料の電気的性質を試験するプローブに関する。プローブは、第１平坦表面を画成する本体と、近位端及び反対の遠位端を有する第１部分を画成するプローブアームとを備え、プローブアームが、第１部分の近位端において本体から延在すると共に、第１軸心が、第１部分の近位端と遠位端によって画定され、又、プローブアームが、第１平坦表面と平行に延在し、更に、プローブアームが、第１軸心、第１軸心に垂直な第２軸心並びに第１軸心と第２軸心によって画定される平面に直角な第３軸心に沿ってプローブアームの柔軟な運動を許容する幾何学的構造を画成する。
【００２６】
プローブが試験試料の表面に接触させられる時、プローブアームは試験試料の表面に侵入しない。
【００２７】
プローブは、試験試料の電気的特性を得るために使用される。このような電気的特性は、抵抗と導電率を含む。
【００２８】
プローブアームが、第１平坦表面と共通平面関係で配置されることが好都合であると考えられる。共通平面関係は、プローブアームの平面と本体の平面が同じ幾何学的平面内にあることを意味する。例えば、プローブアームは、第１平坦表面上に配置される、即ち、本体は、プローブアームを本体の第１平坦表面において支持する。
【００２９】
更に、本体が、第１平坦表面に大略直角の第２平坦表面を画成する一方、プローブアームが、第２平坦表面から延在する。
【００３０】
本発明の特に好都合な実施形態において、プローブアームが、Ｌ字状幾何学的構造を画成する。
【００３１】
第１の態様のプローブと第２の態様のプローブは、使用時に、プローブを保持する保持装置を含む装置内に配置される。更に、信号発生器と信号検出器が、その装置に含まれるか、又は、プローブを介して試験試料への／からの信号を送受信／検出するように、少なくともその装置に接続される。
【００３２】
本発明の第３の態様は、試験試料の電気的性質を試験する試験プローブに関する。第５の態様にかかる試験プローブは、試験試料と電気的接触を図る導電接点を含む本体を備え、試験プローブが試験試料の表面と静的接触を図るのを許容するように、本体が、ばね手段によって柔軟に吊下げられている
【００３３】
静的接触が試験プローブと試験試料表面の間に図られるように、試験プローブが柔軟に吊下げられることを許容する、例えば、ばね又は他の構造要素によって、試験プローブが吊下げられる。
【００３４】
更に、本発明の第１の態様にかかる試験プローブは、第２の態様及び／又は第３の態様に関して述べた特徴のいずれかを含んでもよい。
【発明を実施するための最良の形態】
【００３５】
図１は、プローブの先端５００を図示する。
【００３６】
プローブの寿命を延ばすには、先端の摩耗を最小化しなければならない。摩耗は、少なくとも２個の原因から発生するが、それらの個々の寄与は不明である。真直な片持ばりが表面に接触するにつれて、先端は、片持ばりの長手方向において表面とこすれる。測定中、接触点は動的であると考えられる、即ち、先端は、振動とドリフトにより表面をこする。
【００３７】
図２は、本体５０４と、本体５０４から延在するプローブアーム５０６とを有するプローブ５０２を概略的に図示する。プローブ５０２は、試験試料５０８の表面に接触させられる。プローブアーム５０６の端において、プローブは、試験試料５０８の表面と電気的に接触して、試験試料５０８の電気的性質を決定する試験が行われる。
【００３８】
プローブアーム５０６の先端が試験試料５０８の表面と接触している時、試験プローブ５０２と試験試料５０８を保持するシステムにおける振動とドリフトが、プローブ５０２の先端を試験試料５０８の表面に沿って移動又はこすれさせることにより、プローブ５０２の先端の摩耗を起こす。
【００３９】
ｘ’軸とｚ’軸がプローブの位置を示し、ｘ軸とｚ軸が試験試料の位置を示す基準座標系が図３に示されている。角度θが、試験試料と試験プローブの間に形成される。
【００４０】
上記摩耗を減らすために、本発明にかかるプローブは、係合中も測定中も共に静的接触をするように設けられる。片持ばりは、釣り合いの取れたばね定数（ｋｘ，ｋｙ、ｋｚ）〜（ｋ，ｋ，ｋ）を有するように、第３次元の自由を与えられる。従来のマイクロ４点プローブと異なって、振動／運動は全方向に吸収される。
【００４１】
静的接触を得るために、摩擦力は、表面平面内に印加される絶対力よりも大きくなければならない。
2009513986.tif 000003
【００４２】
摩擦力は、静摩擦係数と垂直力の積によって与えられる。
Ｆｆ＝μｓ・Ｎ＝−μｓ・Ｆｚ      （ＩＩ）
【００４３】
係合深さｄの結果として作用する力は、次式によって与えられる。
2009513986.tif 000004
2009513986.tif 000005
【００４４】
上式（Ｉ）、（ＩＩ）、（ＩＩＩ）と（ＩＶ）から、以下の不等式が導かれる。
2009513986.tif 000006
2009513986.tif 000007
【００４５】
上記不等式は、
2009513986.tif 000008
に対して満足されることが明らかである。これは、片持ばりばね常数が絶対値において等しくあるべきことを意味する。これは、多数の異なる手法によって得ることができる。定式化は、３次元に拡張され得る。
【００４６】
図４乃至図８は、上記の要件を満たすように考えられたプローブアームの異なる実施形態を図示する。
【００４７】
図４は、約９０度の角度で接続された２個の大略真直な又は直線状の部分から成る複数のプローブアームを有するプローブを図示する。
【００４８】
図５は、各々が、本体５１０に接続された２個の部分５１２及び５１４と、２個の部分５１２と５１４を連結する部分５１６とを有する２個のプローブアームが形成された本発明のプローブの一実施形態を概略的に図示する。軟質接触部５１８が部分５１６に設けられている。プローブアームは、一体部品として形成されることが好ましく、この一体部品の全てが本発明の一部と見做される
【００４９】
図６は、各々が、方形波状の幾何学的構造を含む構造物を有する２個のプローブアームが形成された本発明のプローブの一実施形態を概略的に図示する。方形波状幾何学的構造の１周期より大きい周期を有する実施形態並びに異なる周期を有する方形波状幾何学的構造も考えられる。これらの全てが本発明の一部と見做される。
【００５０】
図７は、各々が、開口を形成した２個の長方形部分を含む構造物を有する２個のプローブアームが形成された本発明のプローブの一実施形態を概略的に図示する。１個だけの長方形を有する実施形態並びに２個より多い長方形を有する実施形態も考えられ、これら両方は本発明の一部と見做される。
【００５１】
図８は、各々が、正弦波幾何学的構造を含む構造物を有する４個のプローブアームが形成された本発明のプローブの一実施形態を概略的に図示する。正弦波幾何学的構造が異なる周期を有する実施形態は、本発明の一部と見做される。
【００５２】
上記の幾何学的構造を有するプローブを使用する時、プローブと試験試料の間の接触は静的に維持され、プローブの寿命は大幅に伸びる。同じ効果は、同様の幾何学的構造によって達成される。
【００５３】
本発明の更に別の実施形態において、本発明の他の実施形態と同じ効果を達成するために、プローブをばね等で吊下げてもよい。
【００５４】
摩擦力Ｆｆの一般近似は、静摩擦係数μｓと垂直力Ｎの積によって与えられる。
Ｆｆ＝μｓＮ      （Ｉ）
【００５５】
理想的には、横方向力ＦＬはゼロであるべきだが、これは実際上不可能である。よって、静的接触を得るために、摩擦力は、表面平面内に作用する横方向力よりも大きくなければならない。
Ｆｆ＞ＦＬ      （ＩＩ）
【００５６】
片持ばり先端に作用する横方向力ＦＬは、小さな運動に対して垂直力に比例すると推測される。
【００５７】
本発明の片持ばり設計の一実施形態は、図９に図示するような高い縦横比のＬ字状片持ばりである。
【００５８】
図９は、長方形断面の２個の真直はりを有するＬ字状片持ばりの略図である。２個のはりは９０度の角度で交差する。座標フレーム（ｘ’，ｙ’，ｚ’）は、片持ばり基準フレームとして規定される。
【００５９】
図９の片持ばりは、片持ばり基準フレーム（０，０，０）と同じ原点を有する表面基準フレーム（ｘ，ｙ，ｚ）内の試料に対して規定される。
【００６０】
片持ばりは、第１長さＬ１を有する第１部分と第２長さＬ２を有する第２部分を含む。更に、第１部分は第１幅ｗ１を有し、第２部分は第２幅ｗ２を有する。第１部分と第２部分は、大略等しい高さｈを有する。
【００６１】
図１０と図１１は、表面基準フレーム内のＬ字状片持ばりの略図である。図１０は、片持ばりの概略正面図である。図１１は、片持ばりの概略側面図である。図１１において、片持ばりは、片持ばりサポートの側壁から延在するように図示されている。しかしながら、片持ばりは、支持部材の上面に配置されて、支持部材から自由に延在してもよい。
【００６２】
片持ばり基準フレームにおいて、先端撓み
2009513986.tif 000009
が、フックの法則によって印加力の関数として得られる。
2009513986.tif 000010
【００６３】
力を
2009513986.tif 000011
方向に印加することは、
2009513986.tif 000012
方向と
2009513986.tif 000013
方向の撓みを生じる。
又、力を
2009513986.tif 000014
方向に印加することは、
2009513986.tif 000015
方向と
2009513986.tif 000016
方向の撓みを生じる。
これは、等しいことを示し得る交差項ＣｘｙとＣｙｘを生じる。力を
2009513986.tif 000017
方向に印加することは、
2009513986.tif 000018
方向の撓みのみを生じる。
【００６４】
2009513986.tif 000019
【００６５】
はり基準フレーム内の片持ばり先端のばね定数
2009513986.tif 000020
は、
2009513986.tif 000021
に等しい。
【００６６】
2009513986.tif 000022
【００６７】
表面基準フレーム内の片持ばり先端のばね定数は、回転により、見出される。
2009513986.tif 000023
【００６８】
回転行列は、図１２と図１３により見出される。
【００６９】
2009513986.tif 000024
【００７０】
図１２は、一時的基準フレームへのｚ’軸の回りの片持ばり基準フレームの回転を概略的に図示する。
【００７１】
図１３は、表面基準フレームへのｙｔ軸の回りの一時的基準フレームの回転を概略的に図示する。
【００７２】
図１６と図１７は、θ＝４５°及び
2009513986.tif 000025
と最小静摩擦係数＝０．２を推測して、Ｌ字状片持ばりに対して、式（ＩＩ）により数値計算した設計基準を図示する。図１６と図１７は、同一のものであるが異なる角度から見ている。
【００７３】
図１８乃至図２０は、図１６と図１７のグラフによって規定される寸法で設計されたＬ字状片持ばりを有するマイクロ４点プローブのＳＥＭ（走査型電子顕微鏡）顕微鏡写真である。
【００７４】
図１４では、試験試料の表面部に接触する前の片持ばりが表され、図１５では、試験試料の表面部に接触した後の片持ばりが表されている。結果としての撓みは、試料表面に対して垂直のみであり、よって、静的接触となる。接触点がサブミクロンサイズであるため、接触点における回転は小さな撓みに対して無視し得る。
【００７５】
図１４は、試験試料の表面に接触する前のＬ字状プローブの正面図を概略的に図示し、図１５は、試験試料の表面に接触した後の図１４のＬ字状プローブの正面図を概略的に図示する。
【００７６】
本発明は、以下の点１〜１０によって特徴付けられる。
【００７７】
１．
試験試料の電気的性質を試験するプローブにおいて、
近位端及び反対の遠位端を画成するプローブアームを有する本体を備え、プローブアームが、プローブアームの近位端において本体から延在すると共に、第１軸心が、近位端と遠位端によって画定され、又、プローブアームが、第１軸心、第１軸心に垂直な第２軸心並びに第１軸心と第２軸心によって画定される平面に直角な第３軸心に沿ってプローブアームの柔軟な運動を許容する幾何学的構造を画成するプローブ。
【００７８】
２．
プローブアームが、試験試料と電気的接触を図る接触プローブと、試験装置と電気的接触を図るパッドと、本体上又は本体内に配置されて、接触プローブとパッドの間の電気的接触を図る導電ストリップとを支持する支持構造物である上記の点１に記載のプローブ。
【００７９】
３．
上記幾何学的構造が、半円形部品及び／又は正方形部品及び／又は長方形部品及び／又は三角形部品及び／又は上記のいずれかの組合せを含む上記の点１又は２に記載のプローブ。
【００８０】
４．
上記幾何学的構造が、角度を形成するように接続された２個の大略直線状の部品を含む上記の点１又は２に記載のプローブ。
【００８１】
５．
プローブアームが、第１軸心、第２軸心と第３軸心の方向に大略等しいばね定数を画定する上記の点１−４のいずれかに記載のプローブ。
【００８２】
６．
本体が、複数のプローブアームを含む上記の点１−５のいずれかに記載のプローブ。
【００８３】
７．
複数のプローブアームが、類似の幾何学的構造又は代わりとして、少なくとも２個の異なる幾何学的構造を画成する上記の点６に記載のプローブ。
【００８４】
８．
使用時のプローブが、試験試料の表面の平面に突出する時に、大略等しいばね定数又は１：１と１：２０の間の比を有するばね定数を画定する上記の点１−７のいずれかに記載のプローブ。
【００８５】
９．
試験試料の電気的性質を試験する試験プローブにおいて、
試験試料と電気的接触を図る導電接点を含む本体を備え、試験プローブが試験試料の表面と静的接触を図るのを許容するように、本体が、ばね手段によって柔軟に吊下げられている試験プローブ。
【００８６】
１０．
上記の点１−８の特徴のいずれかを含む上記の点９に記載の試験プローブ。
【図面の簡単な説明】
【００８７】
【図１】プローブ先端の図である。
【図２】プローブと試験試料の略図である。
【図３】座標系の略図である。
【図４】複数のプローブアームを有するプローブの図である。
【図５】２個のプローブアームを有するプローブの異なる略図である。
【図６】２個のプローブアームを有するプローブの異なる略図である。
【図７】２個のプローブアームを有するプローブの異なる略図である。
【図８】４個のプローブアームを有するプローブの略図である。
【図９】Ｌ字形プローブの略図である。
【図１０】Ｌ字形プローブの概略正面図である。
【図１１】図１０のＬ字形プローブの概略側面図である。
【図１２】座標系の略図である。
【図１３】座標系の略図である。
【図１４】試験試料の表面に接触する前のＬ字形プローブの概略正面図である。
【図１５】試験試料の表面に接触した後の図１４のＬ字形プローブの概略正面図である。
【図１６】Ｌ字形片持ばりのための数値計算設計基準を示す。
【図１７】Ｌ字形片持ばりのための数値計算設計基準を示す。
【図１８】Ｌ字形片持ばりを有するマイクロ４点プローブの異なる倍率のＳＥＭ顕微鏡写真である。
【図１９】Ｌ字形片持ばりを有するマイクロ４点プローブの異なる倍率のＳＥＭ顕微鏡写真である。
【図２０】Ｌ字形片持ばりを有するマイクロ４点プローブの異なる倍率のＳＥＭ顕微鏡写真である。
【符号の説明】
【００８８】
５０２  プローブ
５０４  本体
５０６  プローブアーム
５０８  試験試料
５１２  部分
５１４  部分
５１６  部分
５１８  軟質接触部
【図１】
2009513986.tif 000026
【図２】
2009513986.tif 000027
【図３】
2009513986.tif 000028
【図４】
2009513986.tif 000029
【図５】
2009513986.tif 000030
【図６】
2009513986.tif 000031
【図７】
2009513986.tif 000032
【図８】
2009513986.tif 000033
【図９】
2009513986.tif 000034
【図１０】
2009513986.tif 000035
【図１１】
2009513986.tif 000036
【図１２】
2009513986.tif 000037
【図１３】
2009513986.tif 000038
【図１４】
2009513986.tif 000039
【図１５】
2009513986.tif 000040
【図１６】
2009513986.tif 000041
【図１７】
2009513986.tif 000042
【図１８】
2009513986.tif 000043
【図１９】
2009513986.tif 000044
【図２０】
2009513986.tif 000045
【国際調査報告】
2009513986.tif 000046
2009513986.tif 000047
2009513986.tif 000048